(57)【要約】【課題】自立型袋を両手で持って水平になるように傾けた時、内容液がまっすぐ落ちやすくすることを主要な目的とする。【解決手段】自立型袋１は、前後２面の壁面フィルム１ａ、１ｂを備え、前後２面の壁面フィルム１ａ、１ｂの上辺、両側部及び下辺の４辺がシールされ、注ぎ口２が横方向に突出している。【選択図】図１
2017077909.tif 000002
【特許請求の範囲】
【請求項１】
前後２面の壁面フィルムを備え、
前記前後２面の壁面フィルムの上辺、両側部及び下辺の４辺がシールされ、
注ぎ口が横方向に突出している自立型袋。
【請求項２】
前記注ぎ口の上辺が当該袋の高さ方向に対して垂直になるようにしたことを特徴とする請求項１に記載の自立型袋。
【請求項３】
前記注ぎ口を切った時、該注ぎ口の下辺の出口末端から前記袋の高さ方向の中心線までの最短距離が、前記注ぎ口の上辺の出口末端から前記中心線までの最短距離よりも、大きくされている、請求項１又は２に記載の自立型袋。
【請求項４】
前記注ぎ口の下方部は、該注ぎ口に向かって細るように勾配が設けられており、
前記注ぎ口の上辺の根元と前記注ぎ口の下辺の根元とを結ぶ線分と前記袋の高さ方向とのなす角度が、前記注ぎ口の下辺の根元と前記勾配が始まる始点とを結ぶ線分と前記高さ方向とのなす角度と、等しいか又はそれよりも大きくされている、請求項１〜３のいずれか１項に記載の自立型袋。
【請求項５】
前記注ぎ口の上辺の根元と前記注ぎ口の下辺の根元とを結ぶ線分は、当該袋の高さ方向に対して平行に延びており、
前記注ぎ口の下方部に位置する前記前後２面の壁面フィルムの側部の辺は、前記注ぎ口の上辺の根元と前記注ぎ口の下辺の根元とを結ぶ前記線分の延長線上に延びている、請求項１に記載の自立型袋。
【請求項６】
前記注ぎ口は、出口に向かって先細になっており、
該注ぎ口の上辺と当該袋の高さ方向とのなす角は、直角又は直角より小さい鋭角にされ、かつ該注ぎ口の下辺と当該袋の高さ方向とのなす角は、直角又は直角より小さい鋭角にされている、請求項１に記載の自立型袋。
【発明の詳細な説明】
【技術分野】
【０００１】
本発明は一般に自立型袋に関するものであり、より特定的には、詰め替え液を相手の容器の口にこぼさずに注げるように改良させた自立型袋に関する。
【背景技術】
【０００２】
従来、各種液体化粧品、クレンザー、洗剤、柔軟剤、エマルジョン糊、各種飲料、醤油、ソース、麺つゆなどの液体調味料のような液状物や、粉乳、ココアなどの粉体は、主に、プラスチックボトル、ガラス瓶、金属缶などの保形性のある容器に充填され、流通・使用に供され、使用後の容器は廃棄処分にされていた。しかし、そのため資源が消費され、商品に占める容器コストの割合も無視できないものがあった。そこで、廃棄物処理の問題も考慮し、これらの容器は、使用後、分別処理され、回収、リサイクルすることも進められている。
【０００３】
このような見地から、使用後のボトルなどの容器に同一内容物を補充するために用いる図７（Ａ）（Ｂ）に示すような詰め替えパウチが流通している。
【０００４】
従来の詰め替えパウチ１の基本的構成は、図７（Ａ）（Ｂ）に示すように、前後２面の壁面フィルム１ａ、１ｂを備え、これらの両側部と上辺と下辺をシールしてなる。図中、斜めのハッチングで示した部分がシール部１２である。袋の上辺の一部に、その外周をヒートシールしてなる注ぎ口２が設けられている。詰め替えパウチ１は、壁面フィルム１ａ、１ｂの下辺の間に、底面フィルム３を内側に向けて折り返し、底面フィルム折り返し部４まで挿入してなるガゼット５を有する。底面フィルム３を広げると、図７（Ｂ）に示すように自立する（例えば特許文献１参照）。
【０００５】
図７と図８（Ａ）を参照して、内容液を他の容器６に移し替える際には、注ぎ口２の切断線７をカットし、注ぎ口２を開封し、詰め替えパウチ１を例えば右手８で持って、左手９で他の容器６を持って、注ぎ口２を容器６の口にあてがって、そのまま傾けて、内容液を移し替えていた。
【先行技術文献】
【特許文献】
【０００６】
【特許文献１】特開２００１−３０１７７５号公報
【発明の概要】
【発明が解決しようとする課題】
【０００７】
ところで消費者の実際の使用シーンを調査すると、図８（Ｂ）に示すように、容器６は机１０などの上に置いて、詰め替えパウチ１を両手で持って、注ぎ口２を容器６の口にあてがって、内容液を移し替えているケースが多いということがわかった。
【０００８】
このような場合、従来の詰め替えパウチでは、図８（Ｃ）に示すように、パウチの注ぎ口２が斜め横方向に向いていたため、内容液が矢印に示す方向に流れ、容器６の口から逸れてこぼしやすいという問題点があった。内容液が粘度を有する場合、この現象はよく観察された。
【０００９】
本発明は、上記のような問題点を解決するためになされたもので、詰め替えの内容液を相手の容器の口に注ぎやすくするように改良させた自立型袋を提供することを目的とする。
【課題を解決するための手段】
【００１０】
本発明に係る自立型袋は、前後２面の壁面フィルムを備え、該前後２面の壁面フィルムの上辺、両側部及び下辺の４辺がシールされ、注ぎ口が横方向に突出している。
【００１１】
注ぎ口が横方向に突出していると、自立型袋を両手で持って水平になるように傾けた時、注ぎ口が、容器の口に対して縦方向に向かう。
【００１２】
上記注ぎ口の上辺が上記袋の高さ方向に対して垂直になるのが好ましい。
【００１３】
上記注ぎ口の上辺が上記袋の高さ方向に対して垂直になると、自立型袋を両手で持って水平になるように傾けた時、注ぎ口が、容器の口と直交する。
【００１４】
上記注ぎ口を切った時、該注ぎ口の下辺の出口末端から上記袋の高さ方向の中心線までの最短距離が、上記注ぎ口の上辺の出口末端から上記中心線までの最短距離よりも、長くされているのが好ましい。このように構成すると、長くなった部分、すなわち開放されていない所に内容液が表面張力により引っ張られる。
【００１５】
上記注ぎ口の下方部は、該注ぎ口に向かって細るように勾配が設けられており、上記注ぎ口の上辺の根元と上記注ぎ口の下辺の根元とを結ぶ線分と上記袋の高さ方向とのなす角度が、上記注ぎ口の下辺の根元と上記勾配が始まる始点とを結ぶ線分と上記袋の高さ方向とのなす角度と等しいか又はそれよりも大きくされているのが好ましい。このように構成すると、注ぎ口を、中身を注ぐ相手の容器の口に引っ掛けて安定させた時、勾配部分が水平または水平よりも上になる。
【００１６】
この発明の他の好ましい実施態様によれば、上記注ぎ口の上辺の根元と上記注ぎ口の下辺の根元とを結ぶ線分は、当該袋の高さ方向に対して平行に延びており、上記注ぎ口の下方部に位置する上記前後２面の壁面フィルムの側部の辺は、上記注ぎ口の上辺の根元と上記注ぎ口の下辺の根元とを結ぶ上記線分の延長線上に延びている。
【００１７】
この発明のさらに他の好ましい実施態様によれば、上記注ぎ口は、出口に向かって先細になっており、該注ぎ口の上辺と当該袋の高さ方向とのなす角は、直角または直角より小さい鋭角にされており、該注ぎ口の下辺と当該袋の高さ方向とのなす角は、直角または直角より小さい鋭角にされている。
【００１８】
自立型袋を形成する２面の壁面フィルムは、主にプラスチックを主体とする積層フィルムを用いるが、特に限定はされず、液状などの内容物の包装用袋に用いられている公知の積層フィルムは、いずれも使用することができ、充填する内容物の種類や充填後の加熱処理の有無など、使用条件に応じて適する材料を自由に選択して使用することができる。
【００１９】
本発明の好ましい実施態様によれば、上記２面の壁面フィルムの樹脂構成は、ナイロン/接着剤層/ＬＬ（linear low density polyethylene）シール層、ＰＥＴ（ポリエチレンテレフタレート）/ナイロン/接着剤層/ＬＬシール層又はナイロン/蒸着ＰＥＴフィルム/ＬＬシール層である。蒸着ＰＥＴフィルムとは、アルミニウムを高真空状態で気化させ、その蒸気をＰＥＴフィルム表面に付着させたものをいう。
【００２０】
上記２面の壁面フィルムは互いにシール層を向かい合わせて、上辺、両側部および下辺が熱シールされて袋が形成される。
【００２１】
上記袋は、自立型を有する形式に形成されていてもよい。例えば、スタンディングパウチや、フラットボトムタイプのガゼット袋が例示される。
【発明の効果】
【００２２】
本発明によれば、注ぎ口が横方向に突出しているので、自立型袋を両手で持って水平になるように傾けた時、注ぎ口が、容器の口に対して縦方向に向かい、内容液がまっすぐ落ちやすくなり、こぼれにくくなる。
【図面の簡単な説明】
【００２３】
【図１】（Ａ）は実施例１に係る詰め替えパウチの正面図であり、（Ｂ）は、切断線を切って注ぎ口を開封したときの正面図であり、（Ｃ）は両手で詰め替えパウチを持って相手の容器に中身を注いでいる様子を示した正面図であり、（Ｄ）は比較例に係る図である。
【図２】（Ａ）は実施例２に係る詰め替えパウチの正面図であり、（Ｂ）は、切断線を切って注ぎ口を開封したときの正面図であり、（Ｃ）は両手で詰め替えパウチを持って相手の容器に中身を注いでいる様子を示した正面図であり、（Ｄ）は、実施例２に係る詰め替えパウチの変形例に係る正面図であり（Ｅ）は比較例に係る図である。
【図３】（Ａ）は実施例３に係る詰め替えパウチの正面図であり、（Ｂ）は、切断線を切って注ぎ口を開封したときの正面図であり、（Ｃ）は両手で詰め替えパウチを持って相手の容器に中身を注いでいる様子を示した正面図であり、（Ｄ）は比較例に係る図である。
【図４】（Ａ）は、実施例３に係る詰め替えパウチの勾配部の角度の詳細を説明する図であり、（Ｂ）は、実施例３の変形例に係る詰め替えパウチの勾配部の詳細を説明する図である。
【図５】（Ａ）は実施例４に係る詰め替えパウチの正面図であり、（Ｂ）は、両手で詰め替えパウチを持って相手の容器に中身を注いでいる様子を示した正面図である。
【図６】（Ａ）は実施例５に係る詰め替えパウチの正面図であり、（Ｂ）は、両手で詰め替えパウチを持って相手の容器に中身を注いでいる様子を示した正面図であり、（Ｃ）は実施例５の変形例に係る詰め替えパウチの正面図であり、（Ｄ）は実施例５に係る詰め替えパウチの他の変形例に係る正面図である。
【図７】（Ａ）は従来の詰め替えパウチを説明する図であり、（Ｂ）底面フィルムを広げて自立させた時の概念図である。
【図８】（Ａ），（Ｂ），（Ｃ）は、従来の詰め替えパウチの問題点を説明するための図である。
【発明を実施するための最良の形態】
【００２４】
注ぎやすい自立型袋を得るという目的を、注ぎ口を横方向に突出させることによって実現した。以下、この発明の実施例を、図を用いて説明する。各図において同一又は相当する部分には同一の参照番号を付し、その説明を繰り返さない。また、動作を説明する図において、図面の簡略化のため、シール部のハッチングの図示を省略する。
【実施例１】
【００２５】
自立型袋の具体例として、詰め替えパウチを例示して説明する。図１（Ａ）を参照して、実施例１に係る詰め替えパウチ１は、一方の壁面フィルム１ａと他方の壁面フィルム１ｂからなる前後２面の壁面フィルムを備え、その外周すなわち上辺、両側部及び下辺の４辺をヒートシールしてなる。２面の壁面フィルム１ａ、１ｂの樹脂構成は、例えばナイロン（１５μｍ）/接着剤層/ＬＬシール層（１２０μｍ）、ＰＥＴ（１２μｍ）/ナイロン（１５μｍ）/接着剤層/ＬＬシール層（１２０μｍ）又はナイロン（１５μｍ）/蒸着ＰＥＴフィルム（１２μｍ）/ＬＬシール層（１２０μｍ）である。
【００２６】
注ぎ口２が横方向に突出しているのが特徴である。好ましくは、詰め替えパウチ１を立てた（自立させた）ときに、注ぎ口２の上辺２ａが袋１の高さ方向に対して垂直になるように形状が選ばれている。図中、斜めのハッチングで示した部分がシール部１２である。
【００２７】
動作について説明する。図１（Ｂ）を参照して、切断線７を切って、注ぎ口２の先端を開封する。次に、図１（Ｃ）を参照して、詰め替えパウチ１を両手で持って、水平になるように傾け、注ぎ口２を容器６の口にあてがう。注ぎ口２の上辺２ａが袋１の高さ方向に対して垂直になるようにしているので、詰め替えパウチ１を両手で持って水平になるように傾けた時、注ぎ口２が、容器６の口と直交し、内容液がまっすぐ落ちやすくなり、こぼれにくくなる。一方、図１（Ｄ）に示す比較例（従来例）では、パウチの注ぎ口２が斜め横方向を向いているため、内容液が容器６の口から逸れてこぼれやすかった。
【実施例２】
【００２８】
実施例２に係る詰め替えパウチが実施例１に係る詰め替えパウチと異なる点は、図２（Ａ）、（Ｂ）に示すように、注ぎ口２を切断線７に沿って切った時、注ぎ口２の下辺２ｂの出口末端から袋の高さ方向の中心線までの最短距離Ｌ１が、注ぎ口２の上辺２ａの出口末端から上記中心線までの最短距離Ｌ２よりも長くなるように、注ぎ口２の切断線７が形成されている点である。他の構成は実施例１と同じであるので、その説明を繰り返さない。
【００２９】
動作について説明する。図２（Ａ）、（Ｂ）を参照して、注ぎ口２の切断線７を切って、注ぎ口２の先端を開封する。
【００３０】
次に、図２（Ｃ）を参照して、詰め替えパウチ１を両手で持って、水平になるように傾け、注ぎ口２を容器６の口にあてがう。注ぎ口２の上辺２ａが袋１の高さ方向に対して垂直になるようにしたので、自立型袋１を両手で持って水平になるように傾けた時、注ぎ口が、容器６の口と直交し、内容液がまっすぐ落ちやすくなり、こぼれにくくなる。この点は実施例１と同じである。これに加えて、実施例２では、注ぎ口２の下辺２ｂの出口末端から袋の高さ方向の中心線までの最短距離Ｌ１が注ぎ口２の上辺２ａの出口末端から上記中心線までの最短距離Ｌ２よりも長くなるように形成されているので、長くなった部分、すなわち開放されていない所に内容液が表面張力により引っ張られる。この作用により、注ぎ口の下辺２ｂに、内容液が引っ張られ、ひいては内容液がまっすぐ落ちやすくなり、よりこぼれにくくなる。
【００３１】
図２（Ｂ）では、下辺２ｂが上辺２ａよりも長く形成されている場合を例示したが、この発明はこれに限られるものでなく、図２（Ｄ）に示すように、注ぎ口２を切った時、注ぎ口２の下辺２ｂの出口末端から袋の高さ方向の中心線までの最短距離Ｌ１が、注ぎ口２の上辺２ａの出口末端から上記中心線までの最短距離Ｌ２よりも、長くされていればよく、下辺２ｂが上辺２ａよりも短くてもよい。
【００３２】
図２（Ｅ）に示す比較例に示すように、注ぎ口を切った時、該注ぎ口の下辺２ｂの出口末端から袋の高さ方向の中心線までの最短距離Ｌ１が、注ぎ口２の上辺２ａの出口末端から上記中心線までの最短距離Ｌ２よりも小さいと、長くなった部分、すなわち開放されていない所に内容液が表面張力により引っ張られるので、内容液が上辺２ａの方に引っ張られ、内容液が容器６の口から逸れてこぼれやすかった。
【実施例３】
【００３３】
図３（Ａ）、（Ｂ）に示すように、実施例３に係る詰め替えパウチでは、注ぎ口２の下方部に、注ぎ口２に向かって細るように勾配が設けられており、かつ、図３（Ｃ）に示すように、パウチの注ぎ口２を、中身を注ぐ相手の容器６の口に引っ掛けて安定させた時、勾配部分１１が水平または水平よりも上になるように、引っ掛けの角度θが選ばれている。
【００３４】
さて、最終的に、パウチの注ぎ口２は、図３（Ｄ）の比較例に示すように、中身を注ぐ相手の容器６の口に挿入することになる。その際に、容器６の口へ引っ掛けることで安定性が増すが、その引っ掛けの角度が上がらないと、図（Ｄ）のように中身が全て出せない。図３（Ｄ）では、引っ掛けの角度θがゼロである。したがって、内容液１３が詰め替えパウチ１内に残るのである。
【００３５】
一方、本実施例３によれば、図３（Ｃ）に示すように、パウチの注ぎ口２を、中身を注ぐ相手の容器６の口に引っ掛けて安定させた時、勾配部分１１が水平または水平よりも上になるように、引っ掛けの角度θを設計しているので、内容液は勾配部分１１の内壁に沿って流れて、容器６の中へ流れ込む。内容液は詰め替えパウチ１内に残存しない。
【００３６】
次に、勾配部分１１の部分が水平または水平よりも上になるように、引っ掛けの角度θを大きくすることについて、詳細に説明する。
【００３７】
中身が全て出せるという条件は、図４（Ａ）を参照して、角Ａ≧角Ｂを満たす場合である。角Ａは、図３（Ｂ），（Ｃ）も併せて参照して、注ぎ口２の上辺２ａの根元Ｐ１と、注ぎ口２の下辺２ｂの根元Ｐ２とを結ぶ線分と、袋１の高さ方向（図中の垂直線の延びる方向）とのなす角度である。角Ｂは勾配部分１１の角度、すなわち注ぎ口２の下辺の根元と勾配が始まる始点とを結ぶ線分と袋１の高さ方向とのなす角度である。但し、パウチの形状として、勾配部分１１が、図４（Ｂ）に示すような曲線状となる場合は、角度が最大となる接線との角度を角Ｂとする。角Ａ≧角Ｂという条件を満たすように形状を選べば、図３（Ｃ）に示すように、引っ掛けの角度θが大きくなり、中身を注ぐ相手の容器６の口に注ぎ口２を引っ掛けて安定させた時、勾配部分１１の部分が水平または水平よりも上になり、ひいては内容液は勾配部分１１の内壁に沿って流れて、容器６の中へ全て流れ込む。
【実施例４】
【００３８】
先の図４（Ａ）実施例では、注ぎ口の下方部が、注ぎ口に向かって細るように勾配が設けられている場合を例示したが、この発明はこれに限られるものでない。実施例４に係る詰め替えパウチは、勾配が設けられていない場合で、図５（Ａ）に示すように、注ぎ口２の上辺２ａの根元Ｐ１と注ぎ口２の下辺２ｂの根元Ｐ２とを結ぶ線分が、当該袋１の高さ方向に対して平行に延びる。そして、注ぎ口２の下方部に位置する前後２面の壁面フィルムの側部の辺１４は、注ぎ口２の上辺２ａの根元Ｐ１と注ぎ口２の下辺２ｂの根元Ｐ２とを結ぶ線分の延長線上に延びている。このような形状が選ばれても、図５（Ｂ）に示すように、パウチの注ぎ口２を、中身を注ぐ相手の容器６の口に引っ掛けて安定させた時、前後２面の壁面フィルムの側部の辺１４が水平になるので、内容液は、前後２面の壁面フィルムの側部の辺１４に沿って流れて、容器６の中へ流れ込む。内容液は詰め替えパウチ１内に残存しない。
【実施例５】
【００３９】
図６（Ａ）は、本実施例５に係る詰め替えパウチの正面図である。注ぎ口２の形状が、出口に向かって先細になっている。そして、注ぎ口２の上辺２ａが袋１の高さ方向に対して、直角より小さい鋭角αにされ、かつ注ぎ口２の下辺２ｂが袋１の高さ方向に対して、直角より小さい鋭角βにされている。このような形状を選べば、図６（Ｂ）に示すように、詰め替えパウチ１を両手で持って水平になるように傾けた時、注ぎ口２から、内容液が容器６の口に向かって、まっすぐ落ちるようになり、こぼれにくくなる。
【００４０】
図６（Ａ）では、注ぎ口２の上辺２ａが袋１の高さ方向に対して、鋭角αにされている場合を例示したが、注ぎ口２の先細りの他の態様として、図６（Ｃ）に示す変形例のように、注ぎ口２の上辺２ａが、袋１の高さ方向に対して直角になっていてもよい。同様に、注ぎ口２の先細りのさらなる他の態様として、図６（Ｄ）に示すように注ぎ口２の下辺２ｂが、袋１の高さ方向に対して直角になっていてもよい。
【００４１】
すなわち、横方向に突出する注ぎ口２が、出口に向かって先細になっており、かつ該注ぎ口２の上辺２ａと当該袋１の高さ方向とのなす角αが、直角又は直角より小さい鋭角にされ、さらに該注ぎ口２の下辺２ｂと当該袋１の高さ方向とのなす角が、直角又は直角より小さい鋭角にされていると、詰め替えパウチ１を両手で持って水平になるように傾けた時、注ぎ口２から、内容液の落下する方向が容器６の口にまっすぐに向かうようになり、こぼれにくくなる。
【００４２】
このような詰め替えパウチは、台所用洗剤、お風呂の洗剤、ハンドソープ、ボディソープ、シャンプー、リンス、コンディショナーなどに利用することができる。
【００４３】
上記実施例では、自立型袋の具体例として、詰め替えパウチを例示したが、この発明はこれに限られるものでなく、自立型を要求される袋に全て適用される。
【００４４】
今回開示された実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００４５】
本発明に係る自立型袋によれば、内容液をこぼさずに容器に詰め替えることができる。
【符号の説明】
【００４６】
１     詰め替えパウチ
１ａ、１ｂ    壁面フィルム
２     注ぎ口
２ａ   上辺
２ｂ   下辺
３     底面フィルム
４     底面フィルム折り返し部
５     ガゼット
６     他の容器
７     切断線
８     右手
９     左手
１０   机
１１   勾配部分
１２   シール部
１３   内容液
１４   側部の辺
【図１】
2017077909.tif 000003
【図２】
2017077909.tif 000004
【図３】
2017077909.tif 000005
【図４】
2017077909.tif 000006
【図５】
2017077909.tif 000007
【図６】
2017077909.tif 000008
【図７】
2017077909.tif 000009
【図８】
2017077909.tif 000010